(57)【要約】      （修正有）【課題】構造がシンプルであり、組み立てが簡単で時間がかからない経済的で実用的なキャビネットの引き出しを提供する。【解決手段】はめ込み固定部品を使用し、引き出しの隣り合う側面板が連結される際の角をはさんで固定する。はめ込み固定部品は、外側はさみ部分、閉合面、内側はさみ部分を有する。そして、内側はさみ部分及び外側はさみ部分の少なくともいずれか１個は、内側に向いて突起した固定部を有する。この固定部は、ほぼ三角形の形態で、固定部を内側に向けて挟み込む一端が尖った先を有するはめ込み部を有する。固定部が側面板に対して、はまり込んで固定する作用を利用し、安定した状態で引き出しの組み立て構造を維持することができる。【選択図】図１
0003152236.tif 000002
【実用新案登録請求の範囲】
【請求項１】
引き出しの側面板の連結される箇所の端の角にはめ込んで組み立てるはめ込み固定部品を使用するキャビネットの引き出しであって、
前記はめ込み固定部品は、直角に曲がった形態であり、直角型の外側はさみ部分、切れ込みによって分割される頂上部の閉合面、及び、直角型に分離される両側の内側はさみ部分を有することで、内側はさみ部分及び外側はさみ部分によって引き出しの端の角にはまり込む形態のはまり溝を形成し、内側はさみ部分及び外側はさみ部分の少なくともいずれか1個は、内側に向いて突起した固定部を有することにより、引き出しの側面板にはまり込んで固定され、
前記固定部は概ね三角形の形状で、下端の広い連結部から上端の先が尖った尖錐部の方向に向かって、はまり溝側へ内側に傾斜して延びる斜面形態を有することで、固定部の先端に、内側に向かって挟み込む錐状のはめ込み部を形成し、側面板に対して食い込む状態ではまり込んで固定することを特徴とするキャビネットの引き出し。
【請求項２】
前記はめ込み固定部品は、金属性の材質によって形成されることを特徴とする請求項１に記載のキャビネットの引き出し。
【請求項３】
前記引き出しは、所定の規格の底板の周辺にはそれぞれに異なる方向に四枚の側面板が延びて設置されており、前記四枚の側面板の両側及び各側面板と底板の周縁の接続面には、あらかじめそれぞれ４５度の斜角で連結面が設けられていて、四枚の側面板が上に向かって折り曲げられ、引き出しの基本空間形態を形成し、
さらに、隣接する側面板の連結端の角の縁に、はめ込み固定部品が追加設置されて固定されることで、その組み立て形態を維持することを特徴とする請求項１に記載のキャビネットの引き出し。
【請求項４】
前部側面板には所定の位置にねじ穴が設けられ、前パネルのねじ穴に対応することで、ねじによって取っ手を固定する際、一度に前パネルと前部側面板が共に設置、固定されることを特徴とする請求項３に記載のキャビネットの引き出し。
【請求項５】
前記引き出しの左右の側面板下方には、ねじ穴が設けられることにより、スライドレールが設置されることを特徴とする請求項３に記載のキャビネットの引き出し。
【考案の詳細な説明】
【技術分野】
【０００１】
本考案は、キャビネットの引き出しに関し、特に、板片を折り曲げて形成する引き出しの組み立て形式によって固定する設計で、別に製造された直角型のはめ込み固定部品を使用して、引き出しの隣り合う側面板が連結される際の角をはさんで固定し、そのはさみ部分の三角形の固定部の先の尖った部分を引き出しの側面板にはめ込むことにより極めて安定度の高い固定が可能となるキャビネットの引き出しに関する。
【背景技術】
【０００２】
一般に、キャビネットの引き出しは、薄い板を組み合わせて構成される。そして、その形態を固定させるために、従来は接着剤を用いて固定された。しかしながら、その施工は手間と時間がかかり、品質も不安定であったため、角を固定する固定部品によって隣り合う板を組み合わせて固定する方式が採用され、スピーディーにはさんで固定することができるタイプが登場した。
このタイプの角を固定する部品の構造は、通常直角のＬ字型の形状を有し、内側と外側のはさみ部分から構成される。両者の間には溝部分を有し、この部分によって挟むことで、固定部品を２枚の隣り合う板が連結される際の角を挟んで固定させる。そして、内側と外側及び板片が対応する部分にねじ穴を設けてリベットで固定するか、内側、外側のはさみ部分の周辺に突起したフック部を設け、板片に対応した穴を開けることで、固定部品のフック部が引っかかって固定され、脱落を防止することにより、引き出しの組み立て形態を維持する。
しかしながら、このタイプの固定部品は、引き出しの組み立て式の固定形態において、引き出しの板片に貫通穴か固定穴を設けないと、しっかりと固定部品と板片を固定して、固定部品が隣り合う板片の連結面となることができない。その結果、板片の構造が複雑となり、同時に、固定部品をかぶせてはさむ作業は手間がかかり、不便である。当然、時間がかかり、コストも高くなる。
【考案の概要】
【考案が解決しようとする課題】
【０００３】
したがって、本考案は、構造がシンプルであり、組み立てが簡単で時間がかからない経済的で実用的なキャビネットの引き出しを提供することを課題とする。
【課題を解決するための手段】
【０００４】
上記目的を達成するために、本考案のキャビネットの引き出しは、別に製造されたはめ込み固定部品を使用して、引き出しの隣り合う側面板が連結される際の角をはさんで固定する。このはめ込み固定部品の構造により、はめ込み固定部品が、側面板を挟んで固定する際、直接はめ込んで固定することができるため、引き出しの側面板に追加で加工を施す必要がなく、構造がシンプルで、組み立てが簡単で作業時間が節約できるため、経済的であり、必要性も高い。
上記目的を達成するために、本考案のキャビネットの引き出しは、直角型の形態を有する。本考案のキャビネットの引き出し組み立て構造のはめ込み固定部品は、直角型の外側はさみ部分を有し、切れ込みによって上部の閉合面が分割される。さらに、直角型に位置する両側の内側はさみ部分を有する。内側はさみ部分、外側はさみ部分またはこのうちの1個は、内側に向いて突起した固定部を有する。前記固定部は、ほぼ三角形の形態で、固定部を内側に向けて挟み込む一端が尖った先を有するはめ込み部を有する。はめ込み固定部品が各側面板が連結された時に形成される角を覆って設置される時、前記固定部が側面板に対して、はまり込んで固定する作用を利用して、はめ込み固定部品が脱落しにくく、しっかりと安定した状態で引き出しの組み立て構造を維持することができる。
【考案の効果】
【０００５】
本考案のキャビネットの引き出しは、別に製造されたはめ込み固定部品を使用して、引き出しの隣り合う側面板が連結される際の角をはさんで固定する。このはめ込み固定部品の構造により、はめ込み固定部品が、側面板を挟んで固定する際、直接はめ込んで固定することができるため、引き出しの側面板に追加で加工を施す必要がなく、構造がシンプルで、組み立てが簡単で作業時間が節約できるため、経済的であり、必要性も高い。
【図面の簡単な説明】
【０００６】
【図１】本考案の引き出しにおける好適な実施例の構造を示した分解図である。
【図２】本考案の引き出しにおける好適な実施例の組立図である。
【図３】本考案のはめ込み固定部品における好適な実施例の構造を示した図である。
【図４】本考案のはめ込み固定部品が引き出しを挟み込んで固定した状態における好適な実施例を示した図である。
【図５】本考案のはめ込み固定部品が引き出しを挟み込んで固定した状態における好適な実施例の構造関係を示した図である。
【図６】本考案の好適な実施例の部分構造を示した図である。
【図７】本考案の好適な実施例の全体構造を示した図である。
【図８】本考案の好適な実施例の全体構造における組み合わせを示した図である。
【考案を実施するための形態】
【０００７】
以下、図を参照しながら、本考案のキャビネットの引き出しについて説明する。
図１から図８に示したのは、本考案の好適な実施例である。図に示したように、本考案の引き出し（１０）は、所定の規格による底板（１１）周辺にそれぞれ異なる方向に四枚の側面板（１２）が伸びて設置されている。かかる四枚の側面板（１２）の両側及び各側面板（１２）と底板（１１）の週縁の接続面には、あらかじめそれぞれ４５度の斜角で連結面（１３）が設けられていて、四枚の側面板（１２）が上に向かって折り曲げられ、引き出し（１０）の基本空間形態を形成する。さらに、隣接する側面板（１２）の連結端の角の縁には別に、はめ込み固定部品（２０）が追加設置されて固定されることで、その組み立て形態を維持する。また、前部側面板（１２）には所定の位置にねじ穴（１４）が設けられて、前パネル（１５）のねじ穴（１６）に対応することで、ねじ（１７）によって取っ手（１８）を固定する際、一度に前パネル（１５）と前部側面板（１２）が共に設置、固定される。また、左、右の側面板（１２）下方には、ねじ穴（数字表示しない）が設けられて、スライドレール（１９）が設置される。この構成により、引き出し（１０）の基本的な構造が形成される。
このうち、前記はめ込み固定部品（２０）は、金属性の材質から作製され、直角に曲がった形状で、直角型の外側はさみ部分（２１）、切れ込み（２２１）によって分隔された上縁部の閉合面（２２）、及び、呈直角で分離された二枚の内側はさみ部分（２３）（２４）を有する。さらに、外側はさみ部分（２１）、内側はさみ部分（２３）（２４）によって、引き出し（１０）の端の角にはまり込む形態のはまり溝（２５）を形成する。外側はさみ部分（２１）、内側はさみ部分（２３）（２４）またはこのうちの一つは内側に突起した固定部（２６）を有する。前記固定部（２６）はおおむね三角形の形状で、下端の広い連結部から上端の先が尖った尖錐部の方向に徐々に、はまり溝（２５）に向かって内側に傾斜して伸びる斜面形態を有することで、固定部（２６）の先端に、内側に向かって挟み込む錐状のはめ込み部（２７）を形成する。これにより、はめ込み固定部品（２０）の基本的機能を構成する。
このように、はめ込み固定部品（２０）が各側面板（１２）の連結された角を覆ってはまり込むと、はめ込み固定部品（２０）に設けられた固定部（２６）のはめ込み部（２７）が、側面板（１２）に食い込むことにより、側面板（１２）にしっかりと固定されて、はめ込み固定部品（２０）が脱落しにくい。したがって、安定した引き出し（１０）の組み立て構造が維持される。さらに、その組み立て施工作業が極めて簡単で、側面板（１２）に別に構造上の変化を施す必要ないため、従来の同様のタイプの製品における欠点を解決する。
上述の引き出し（１０）をキャビネット（３０）と組み合わせて使用する際は、キャビネット（３０）の二本の側面フレーム（３１）（３２）の内側に、相対する所定の数のガイド（３３）（３４）を設置することで、引き出し（１０）の二枚の側面板（１２）に設置されたスライドレール（１９）に対応することで、引き出し（１０）の前パネル（１５）に設置された取っ手（１８）によって、安定した引き出し操作ができる。これにより、本考案の好適な実施例が完成する。この実施例は、本考案の引き出し（１０）の適用範囲を制限するものではなく、各方式のキャビネット、式的組合櫃、サイドボードにおいても、本考案の引き出し（１０）が適用される。
【産業上の利用可能性】
【０００８】
このように、本考案のキャビネットの引き出しは、その組み立て構造を維持するために設計されたはめ込み固定部品が、引き出しの側面板の連結部分の端の角の箇所を覆ってはまり込むことにより実施されるため、実施が簡単であり、その内側に突起した固定部の先端の尖った錐状のはめ込み部を利用して、引き出しの側面板に対し、食い込む形態で固定する効果を有し、その固定形態の安全性を大幅に高める。さらに、引き出しの側面板に別に構造上の変化を行う必要がないため、産業上の利用において、経済効果及び実用性が高い。
【符号の説明】
【０００９】
１０：引き出し、１１：底板、１２：側面板、１３：連結面、１４：ねじ穴、１５：前パネル、１６：ねじ穴、１７：ねじ、１８：取っ手、１９：スライドレール、２０：はめ込み固定部品、２１：外側はさみ部分、２２：閉合面、２２１：切れ込み、２３、２４：内側はさみ部分、２５：はまり溝、２６：固定部、２７：はめ込み部、３０：キャビネット、３１、３２：側面フレーム、３３、３４：ガイド
【図１】
0003152236.tif 000003
【図２】
0003152236.tif 000004
【図３】
0003152236.tif 000005
【図４】
0003152236.tif 000006
【図５】
0003152236.tif 000007
【図６】
0003152236.tif 000008
【図７】
0003152236.tif 000009
【図８】
0003152236.tif 000010